(57)【特許請求の範囲】
【請求項１】
蒸気を透過させて水を透過させない膜を有する裏張りに内面で結合する通気性甲被と、
前記甲被および前記裏張りに周縁部で結合する中底と、
水を透過させない材料からなり、結合された甲被、裏張りおよび中底のエッジ領域の少なくとも周囲に直接射出成型された本底または下底とからなり、
下部領域において前記裏張りの下側エッジが甲被よりも下方に突出し、前記下部領域において前記甲被が結合部材と置き換えられ、前記結合部材は、本底または下底の成型材料と接着接合に関して相容性を有する防水性材料からなり、一方の側面で甲被と結合し、もう一方の側面で中底と結合し、前記結合部材は裏張りに面する第１の層と、第２の層とを備え、第１と第２の層が異なる融点を有することを特徴とする防水靴。
【請求項２】
第１の層が、前記膜を密封することができる材料からなり成型中に発生する温度よりも低い融点を有し、第２の層が、織物または本底の材料と相容性を有する材料からなり靴の上側部分を製造する工程中の熱印加によって生じる溶融を回避するために第1の層よりも高い融点を有することを特徴とする請求項１に記載の靴。
【請求項３】
結合部材が前記甲被、前記裏張りおよび前記組立中底にステッチによって結合されることを特徴とする請求項１に記載の靴。
【発明の詳細な説明】
【０００１】
【発明の属する技術分野】
本発明は甲被に成型された本底（sole）または下底（midsole）を有する防水靴に関する。
【０００２】
【従来の技術】
ステッチによって組立体中底と適切に結合され、甲被固定靴型に適合する甲被（機能的防水性および通気性の膜を備えた裏張りを有する）に対して、本底または下底を直接射出成型して完全に防水された靴を製造することは、靴製造業界においてはすでに公知である。
【０００３】
この構成では、甲被と中底（insole）を結合するためのステッチが機能性膜を貫通するために膜が水を透過させて防水性を損なうという問題がある。
【０００４】
これらの問題を解決するため、EP298360には、蒸気を透過させて水を透過させない膜を有する裏張りと内面で結合された通気性甲被、甲被および裏張りに周辺部で結合する中底、および水を透過させない材質からなり、中底の下部および甲被端部の周囲に射出成型された本底から構成される靴が開示されている。
【０００５】
裏張りの下側エッジは甲被よりもさらに下方に突出し、その領域において甲被は、一方の側面で甲被に、もう一方の側面で中底および裏張りに縫い付けられる多孔質結合部材(特にメッシュ)に置き換えられる。
【０００６】
このように、結合部材の材料が多孔性であるため、射出成型時には液体である本底材料が全てのステッチ穴にしみ込み、それらを塞ぐことができる。
【０００７】
通常、結合部材の材料としてポリエステルメッシュ帯が使用される。このような帯はほとんど弾性がなく、したがって特に靴のかかとやつま先部分で完全に伸張することは不可能である。
【０００８】
このことは製造において障害となり、特に射出成型時工程において後のチャネル形成との均一性の欠如、および防水性の欠如を引き起こす。
【０００９】
US5,505,011に開示の靴もまた公知である。
【００１０】
この靴は、蒸気を透過させて水を透過させない膜を有する裏張りと内面で結合された通気性甲被と、裏張りの下側エッジに周辺部で縫合され甲被よりも下方へ突出する中底と、水を透過させない材料からなり中底の下部および甲被と裏張りのエッジ領域の周囲に射出成型される本底とから構成される。
【００１１】
裏張りおよび甲被はそれらのエッジ領域で接着剤を用いて結合される。
【００１２】
この靴は裏張りと甲被の弾性が異なり、これが不快な皺の形成につながるため、製造が難しい。
【００１３】
また、防水性の欠如に関する問題が指摘されている。これは甲被が裏張りの全周囲に沿って同じ高さで接着することができないことによるものである。
【００１４】
【発明が解決しようとする課題】
本発明の課題は、甲被に対して本底または下底が成型された防水靴を提供することである。これにより、上記の従来技術の不都合が排除される。
【００１５】
本発明の目的は、単に防水性の本底または防水性かつ通気性の本底のいずれかを備え、好都合に製造することができる靴を提供することである。
【００１６】
本発明のもうひとつの目的は、同型で公知の靴とコストの点において競合できる靴を提供することである。
【００１７】
【課題を解決するための手段】
この発明は、蒸気を透過させて水を透過させない膜を有する裏張りに内面で結合する通気性甲被と、前記甲被および前記裏張りに周縁部で結合する中底と、水を透過させない材料からなり、結合された甲被、裏張りおよび中底のエッジ領域の少なくとも周囲に直接射出成型された本底または下底とからなり、下部領域において前記裏張りの下側エッジが甲被よりも下方に突出し、前記下部領域において前記甲被が結合部材と置き換えられ、前記結合部材は、本底または下底の成型材料と接着接合に関して相容性を有する防水性材料からなり、一方の側面で甲被と結合し、もう一方の側面で中底と結合することを特徴とする防水靴を提供するものである。
【００１８】
結合要素が、少なくとも２層からなるシートで構成され、第１の層が、前記裏張り側にあって前記膜を密封することができる材料からなり成型中に発生する温度よりも低い融点を有し、第２の層が、織物または本底の材料と相容性を有する材料からなり靴の上側部分を製造する工程中の熱印加によって生じる溶融を回避するために第１の層よりも高い融点を有してもよい。
【００１９】
結合要素が前記甲被、前記裏張りおよび前記組立中底にステッチによって結合されてもよい。
【００２０】
前記本底が複合体であり、個別に形成されて少なくともつま先部分に位置する挿入体を有し、その挿入体は、フェルトまたは多孔材料のような通気性材料からなる充填層と、蒸気を透過させて水を透過させない膜と、その膜に結合し耐加水分解性、撥水性、通気性または多孔材料からなる保護層と、前記保護層と接地領域間の貫通孔を有する接地板とを積層してなり、前記膜および前記保護層の周縁部が接地板のポリウレタン塊で密封され、前記本底が挿入体を取り囲み、前記挿入体を前記甲被に耐密状に結合する射出成形部分を構成する部材をさらに備えてもよい。
【００２１】
前記本底が、甲被に対して射出成型したプラスチック材料の単一ブロックからなってもよい。
前記本底が、個別に形成された少なくとも1つの結合用下底を射出成型することによって甲被に対して結合される接地板からなってもよい。
【００２２】
【発明の実施の形態】
以下、図１〜図３に示す実施例に基づいて発明の実施の形態を説明する。
図２に示すように、靴１０は、例えば色素被膜していない天然皮革製の通気性甲被１１からなる。甲被１１は、甲被１１の一方の側面に配置される蒸気を透過させて水を透過させない膜１３（通常は発泡ポリテトラフルオロエチレン）と、パッド層１４（例えば連続気泡材料またはフェルト）と、内部織物１５とを積層した裏張り１２に結合する。
【００２３】
また、裏張り１２は、層１４および１５の少なくとも1つを欠いていてもよく、さらに／あるいは異なる材料の層を有していてもよい。
【００２４】
裏張り１２は、通気性が膜１３を介して弱められることがないように、局部接着によって甲被１１と結合される。
【００２５】
靴１０はまた、組立体中底１６（好ましくは織物、皮革、フェルト、セルロース材料等の通気性材料または多孔材料から形成される）を含む。これは下記に詳述するように、甲被１１および裏張り１２に周辺部で結合される。
【００２６】
靴１０はさらに、図２の参照番号１９で示される本底を含む。これは以下に詳細に記載する。この本底１９は少なくとも甲被１１のエッジ領域の周囲に直接射出成型され、少なくとも前記領域においてポリウレタン等の材料で形成される。
【００２７】
図１に示すように、裏張り１２の下側エッジは甲被１１よりもさらに下方に突出する。この領域において甲被１１は結合部材２０（膜13を密封するための）と置き換えられる。結合部材２０は、一方の側面で甲被１１と結合し、他方の側面で中底１６と裏張り１２に結合し、本底１９の成型材料との接着接合に関して相容性を有する非水透過性材料で形成される。
【００２８】
結合はステッチシーム（縫い目）１７および１８によって行われる。部材２０、裏張り１２および中底１６間に存在するシーム１８は、いわゆるストロベル(Strobel)型のものである。
【００２９】
結合部材２０は図３に示すように、２層のシートによって構成される。２層のうち参照番号２１によって示される第１の層は、裏張り１２側にあり、膜１３を密封できる材料（例えばポリウレタン）で形成される。融点は成型中の温度（８０−１００℃）より低く、例えば約６０℃である。
【００３０】
第２の層２２は、本底１９の材料と相容性を有する織物またはポリマーで形成することができる。第１の層２１よりも高い融点を有するため、靴型(図示せず)で靴１０の上側部分を形成する工程中には溶融しない。
【００３１】
第１の層２１はそのような工程において、また実際に本底１９を射出成型する工程において溶融させて膜１３に結合することができる。
【００３２】
本底１９が射出成型されると、溶融したポリマーの圧力と熱が推進させて部材２０を部分的に溶融し、とりわけ第１の層２１を溶融させ、裏張り１２を封着し、靴１０を完全な防水性にする。
【００３３】
ここで、本底１９は複合物である。というのは、これは挿入体２３（別々に形成される）を有するからである。挿入体２３は少なくともつま先部分に位置し、フェルトまたは多孔材料等の通気性材料からなる充填層２４と、蒸気を透過させて水を透過させない膜２５と、膜２５に結合され耐加水分解性、撥水性、通気性または穿孔を有する材料からなる保護層２６と、前記保護層２６と接地領域間に貫通孔２８を有する接地板２７とを積層して構成される。
【００３４】
膜２５および保護層２６の周縁部は接地板２７のポリウレタン塊によって好都合に密封される。
【００３５】
本底１９はさらに、挿入体２３を取り囲み、挿入体２３を甲被１１に耐密状に結合する射出成型部分を構成する部材２９を含む。
【００３６】
当然のことながら、本底１９のみに防水性が要求される場合には、本底１９をポリウレタン等のプラスチック材料の単一ブロックで構成して甲被１１対して射出成型してもよい。または個別に形成され、少なくとも１つの結合用下底の射出成型によって甲被１９に結合される接地板によって構成してもよい。
【００３７】
靴は、多孔および／または通気性を有し、例えば皮革で形成される中敷３０によって完成される。
以上により、公知技術における問題が排除された靴が実際に得られる。
【００３８】
靴１０は完全に防水されており、甲被１１の領域と、甲被１１および裏張り１２の下側エッジとにおいて通気性を有し、またこの場合においては接地板２７においても通気性を有する（結合部材２０と本底１９の対応部分および／または膜１３との少なくとも部分的な溶融によってもたらされた密封によって）が、別の場合に簡素な防水加工が好ましい時には、本底１９をポリウレタンまたは他の適当なプラスチックからなる単一ブロックで構成してもよい。
【００３９】
【発明の効果】
この発明によれば、甲被に対して防水性で通気性を有するように本底または下底が成型（モールド）された防水靴が提供される。
【図面の簡単な説明】
【図１】この発明において、本底を成型する前の靴の構成要素を組み合わせた状態の拡大断面図である。
【図２】完成したこの発明の靴の拡大断面図である。
【図３】図１の一構成要素の詳細断面図である。
【符号の説明】
１０  靴
１１  甲被
１２  裏張り
１３  膜
１４  パッド層
１５  内部織物
１６  中底
１７  ステッチシーム
１８  ステッチシーム
１９  本底
２０  結合部材
２１  第１の層
２２  第２の層
２３  挿入体
２４  充填層
２５  膜
２６  保護層
２７  接地板
２８  貫通孔
２９  部材
３０  中敷
【図１】
0004010393.tif 000002
【図２】
0004010393.tif 000003
【図３】
0004010393.tif 000004